(57)【要約】【課題】蓋付き容器内に、紫外線光源と酸化チタンの反応板とを備えて光触媒作用を促進させ、台所や調理場から排出される食品加工ごみ・残飯・トイレ等で使用される生活衛生紙残材等の滅菌、抗菌、消臭機能を発揮させられる滅菌、抗菌、消臭ごみ箱を提供する。【解決手段】蓋付き容器１と、上記容器の内壁面１Ｂ〜１Ｅ沿いに付設した袋体３と、上記袋体内に配置され酸化チタンＣを塗布した反応板７と、上記蓋１Ａの内側に装備され上記反応板７に紫外線照射させる紫外線照射部１０と、を具備した滅菌、抗菌、消臭ごみ箱１００である。【選択図】    図１
0003166217.tif 000002
【実用新案登録請求の範囲】
【請求項１】
蓋を備えた容器と、上記容器内に装備される袋体と、上記袋体の内側に配置され酸化チタンが形成された滅菌、抗菌、消臭部と、上記蓋の内側に配置され上記滅菌、抗菌、消臭部に紫外線を照射する紫外線照射部と、を具備したことを特徴とする滅菌、抗菌、消臭ごみ箱。
【請求項２】
上記滅菌、抗菌、消臭部は、袋体の内面に形成された酸化チタンにより構成されていることを特徴とする請求項１記載の滅菌、抗菌、消臭ごみ箱。
【請求項３】
上記滅菌、抗菌、消臭部は、袋体の内側に挿入配置され酸化チタンが形成された反応板により構成されていることを特徴とする請求項１記載の滅菌、抗菌、消臭ごみ箱。
【請求項４】
上記反応板は酸化チタンが形成された板材により袋体から引き抜き可能な形状に構成されていることを特徴とする請求項３記載の滅菌、抗菌、消臭ごみ箱。
【請求項５】
上記紫外線照射部は波長３８０ｎｍの紫外線を照射するＬＥＤ発光素子であることを特徴とする請求項１〜４のいずれかに記載の滅菌、抗菌、消臭ごみ箱。
【請求項６】
上記紫外線照射部にはタイマーが備えられていて、所定の時間紫外線を照射させるようにしたことを特徴とする請求項１〜５のいずれかに記載の滅菌、抗菌、消臭ごみ箱。
【考案の詳細な説明】
【技術分野】
【０００１】
本考案は、例えば、台所や調理場から排出される食品加工ごみ・残飯・トイレ等で使用される生活衛生紙残材等を一時的にストックするごみ箱（ダストボックス）に係り、特に、酸化チタンの光触媒作用を利用して、滅菌、抗菌、消臭機能を発揮させられるようにした滅菌、抗菌、消臭ごみ箱に関する。
【背景技術】
【０００２】
従来、靴脱臭器やごみ箱内等に配置した酸化チタンに紫外線を照射することで発生する光触媒作用を利用した滅菌、抗菌、消臭機能を付加した各種製品が数多く提供されている。また、東南アジア地域では、トイレで使用されるトイレットペーパーは、使用後に汚物と一緒に水洗して流すことなく、ごみ箱に捨て、ごみとして処理する習慣がある。更に、使用済みの生理用品をトイレ内のごみ箱に一時的にストックするごみ箱では、衛生面で病原菌の繁殖の原因となり好ましくないことから、酸化チタンの光触媒作用を利用した滅菌、抗菌、消臭処理機能を持つ大規模なごみ処理箱も提供されている。
【０００３】
上記酸化チタンの光触媒作用を利用し、トイレでの使用済紙類の分解、滅菌消毒処理を効率的に行えるようにして衛生的な管理を可能としたごみ箱の公知例の一つに、本願出願人に係るものがある。その構成は、内壁面に酸化チタンが塗布され内部に水を収容可能な容器本体と、上記容器本体の開口上部を開閉可能とするとともに内側に紫外線灯を備えた蓋体と、上記容器本体内に載置され表面に酸化チタンを塗布された網籠体と、上記網籠体内に投入された使用済紙類を水中で攪拌して分解させる循環ポンプとを具備したものである。これにより、容器本体内に投入された使用済紙類は、水中で循環する水流又は攪拌水流で分解処理され、この分解物が容器本体の内壁面や網籠体に塗布された酸化チタンと接触し、紫外線灯からの紫外線による光触媒作用により滅菌、抗菌される。また、上記分解物は水とともに下水路へ廃棄処理できる。よって使用済みのトイレット紙や汚物類が衛生的に管理できるものである（例えば、特許文献１参照。）。
【０００４】
また、別の菌類を含む汚物の処理装置は、汚物中の菌類を滅菌、抗菌処理するための処理容器本体と、該処理容器本体上部に設けられた汚物流入口と、該処理容器本体下部に設けられた汚物排出口と、該処理容器本体内もしくは該処理容器周辺近傍に取り付けられた光源と、該処理容器本体内であって、かつ該処理容器内に流入する汚物と常に接触する状態で配設された光触媒と、前記汚物を撹拌する撹拌手段とを備えたものである（例えば、特許文献２参照。）。
【先行技術文献】
【特許文献】
【０００５】
【特許文献１】実用新案登録第３１１１６６８号公報
【特許文献２】特開平７−２７５３３８号公報
【考案の概要】
【考案が解決しようとする課題】
【０００６】
上記実用新案登録第３１１１６６８号公報のごみ箱及び特開平７−２７５３３８号公報の菌類を含む汚物の処理装置は、何れも、容器本体内に入れた処理汚物を攪拌用の水と、この攪拌器と、光触媒の酸化チタンと滅菌、抗菌作用を促す紫外線灯と、を少なく備えたものであるから、ごみ箱及び処理装置は、水を蓄え汚物を攪拌する容器本体や給排水施設を設備しなければならず、一般住宅のトイレや台所、小規模な料理店等での設置の困難性や設備費が膨大になる上に、メンテナンスが必須となるから広く普及させられないという問題点を有している。
【課題を解決するための手段】
【０００７】
本考案は、上記ごみ箱や菌類を含む汚物の処理装置における問題点に鑑みてなされたものでその目的とするところは、汚物の滅菌、抗菌・消臭処理に水処理を必要とせず、しかもコンパクトにして設置場所を選ばず、運転費やメンテナンスが軽減させられる滅菌、抗菌、消臭ごみ箱を提供することにある。
【０００８】
上記目的を達成するべく本考案の請求項１による滅菌、抗菌、消臭ごみ箱は、蓋を備えた容器と、上記容器内に装備される袋体と、上記袋体の内側に配置され酸化チタンが形成された滅菌、抗菌、消臭部と、上記蓋の内側に配置され上記滅菌、抗菌、消臭部に紫外線を照射する紫外線照射部と、を具備したことを特徴とするものである。
【０００９】
また、本考案の請求項２による滅菌、抗菌、消臭ごみ箱は、請求項１記載の滅菌、抗菌、消臭ごみ箱において、上記滅菌、抗菌、消臭部は、袋体の内面に形成された酸化チタンにより構成されていることを特徴とするものである。
【００１０】
また、本考案の請求項３による滅菌、抗菌、消臭ごみ箱は、請求項１記載の滅菌、抗菌、消臭ごみ箱において、上記滅菌、抗菌、消臭部は、袋体の内側に挿入配置され酸化チタンが形成された反応板により構成されていることを特徴とするものである。
【００１１】
また、本考案の請求項４による滅菌、抗菌、消臭ごみ箱は、請求項３記載の滅菌、抗菌、消臭ごみ箱において、上記反応板は酸化チタンが形成された板材により袋体から引き抜き可能な形状に構成されていることを特徴とするものである。
【００１２】
また、本考案の請求項５による滅菌、抗菌、消臭ごみ箱は、請求項１〜４のいずれかに記載の滅菌、抗菌、消臭ごみ箱において、上記紫外線照射部は波長３８０ｎｍの紫外線を照射するＬＥＤ発光素子であることを特徴とするものである。
【００１３】
また、本考案の請求項６による滅菌、抗菌、消臭ごみ箱は、請求項１〜５のいずれかに記載の滅菌、抗菌、消臭ごみ箱において、上記紫外線照射部にはタイマーが備えられていて、所定の時間紫外線を照射させるようにしたことを特徴とするものである。
【００１４】
そして、上記手段によって以下のような作用が得られる。まず、蓋付き容器内の袋体に各種塵、使用済み衛生紙・衛生用品を投入し蓋を閉じると、蓋の内側に配置した紫外線照射部から袋体の内側に配置され酸化チタンが形成された滅菌、抗菌、消臭部に紫外線が照射され、酸化チタンの光触媒作用により各種塵、使用済み衛生紙・衛生用品に対する滅菌、抗菌、消臭機能が発揮される。
【００１５】
また、滅菌、抗菌、消臭部が、袋体の内面に形成された酸化チタンにより構成されている場合には、蓋付き容器内の袋体に各種塵、使用済み衛生紙・衛生用品を投入すると、蓋に配置した紫外線照射部から袋体の内側に形成された酸化チタンに紫外線が照射され、酸化チタンの光触媒作用により各種塵、使用済み衛生紙・衛生用品等に対する滅菌、抗菌、消臭機能が発揮される。
【００１６】
また、上記滅菌、抗菌、消臭部が、袋体の内側に挿入配置され酸化チタンが形成された反応板により構成されている場合は、蓋付き容器内の袋体に各種塵、使用済み衛生紙・衛生用品を投入すると、蓋に配置した紫外線照射部から袋体の内側に挿入配置された反応板の酸化チタンに紫外線が照射され、酸化チタンの光触媒作用により各種塵、使用済み衛生紙・衛生用品等に対する滅菌、抗菌、消臭機能が発揮される。
【００１７】
また、上記反応板は酸化チタンが形成された板材により袋体から引き抜き可能な形状に構成されているから、反応板の袋体内への挿入が容易にでき、ごみで満杯になった袋体の廃棄時に反応板を袋体内から簡単に取り出すことができるので収容物の廃棄処理が容易にできる。
【００１８】
また、紫外線照射部を波長３８０ｎｍ前後の紫外線を発光するＬＥＤ発光素子としたから、低消費電力の基に、滅菌、抗菌、消臭部の反応を活発化でき、紫外線の発光効率が良く、各種塵・使用済み衛生紙・衛生用品等に対する一層強力な滅菌、抗菌・消臭効果が発揮できる。
【００１９】
また、紫外線照射部に対する通電時間もタイマーにより、袋体内に新たに投入された各種塵・使用済み衛生紙・衛生用品等に対する滅菌、抗菌、消臭作用が終了する必要最少時間内に通電制限でき、より一層の省エネルギー効果が発揮できる。また、その電源も乾電池の利用が可能であり、ごみ箱の任意場所への配置が自由にできる。
【考案の効果】
【００２０】
本発明の滅菌、抗菌、消臭ごみ箱によると、蓋付き容器内の袋体に各種塵、使用済み衛生紙・衛生用品等を投入すると、蓋の内側に配置した紫外線照射部から袋体の内側に配置され酸化チタンが形成された滅菌、抗菌、消臭部に紫外線が照射され、酸化チタンの光触媒作用により収容物に対する滅菌、抗菌、消臭機能を発揮できる。また、汚物の滅菌、抗菌・消臭処理に水処理を必要とせず、しかもコンパクトにして設置場所を選ばず、運転費やメンテナンスを軽減させることができる。
【図面の簡単な説明】
【００２１】
【図１】本考案の第１の実施の形態を示し、滅菌、抗菌、消臭ごみ箱の展開斜視図である。
【図２】本考案の第１の実施の形態を示し、滅菌、抗菌、消臭ごみ箱の断面図である。
【図３】本考案の第１の実施の形態を示し、紫外線照射部の電気回路図である。
【図４】本考案の第１の実施の形態を示し、反応板の斜視図と断面図である。
【図５】本考案の第２の実施の形態を示し、滅菌、抗菌、消臭ごみ箱の断面図である。
【図６】本考案の第３の実施の形態を示し、滅菌、抗菌、消臭ごみ箱の展開斜視図である。
【図７】本考案の第３の実施の形態を示し、滅菌、抗菌、消臭ごみ箱の断面図である。
【図８】本考案の第３の実施の形態を示し、滅菌、抗菌、消臭ごみ箱の断面図である。
【考案を実施するための最良の形態】
【００２２】
以下、図１〜図５に示す実施の形態を例にとって本考案の滅菌、抗菌、消臭ごみ箱の第１の実施の形態を説明する。
【００２３】
本考案の第１の実施形態となる滅菌、抗菌、消臭ごみ箱１００は、図１に示すように、蓋付き容器１と、上記容器の内壁面１Ｂ〜１Ｅ沿いに配置した袋体３と、上記袋体３内に挿入配置され酸化チタンＣを塗布した反応板７と、上記蓋１Ａの内側に装備され上記反応板に紫外線Ｌを照射させる紫外線照射部１０とから構成されている。
【００２４】
以下、上記滅菌、抗菌、消臭ごみ箱１００の詳細構成を説明する。先ず、蓋付き容器１は、一例として断面が四角形の立方体を呈しプラスチック等の材質からなる。容器１の蓋１Ａは、上面片側に蝶番で取り付けられており、手操作叉は容器１の下部に備える開閉ペダル５により開閉可能になっている。なお、この蓋付き容器１は市販のダストボックスを適宜使用できるものであり、図示した足踏み開閉式のものや、手動開閉式のもの等を使用することができる。また、断面が円筒形の円柱状を呈しステンレス等の材質からなるものを使用することもできる。
【００２５】
上記滅菌、抗菌、消臭ごみ箱１００に納められる袋体３は、市販されている透明なポリエチレン樹脂製袋体である。上記袋体３は、水を使用しない本考案の滅菌、抗菌、消臭ごみ箱１００に最適なものである。勿論、市販されている透明なポリエチレン樹脂製ごみ袋を使用し得るし、ポリエチレン樹脂製袋体ではないビニール製袋体等でも良い。更には、適度な耐水性を有する袋体であれば、紙製であっても良い。
【００２６】
上記反応板７は、光触媒用の酸化チタンＣを、板材、一例として段ボール板材７Ａの表面に塗布したものである。酸化チタンＣの飛ぶは片面または両面でも良い。板材の材質は合成樹脂等でもよい。また、酸化チタンＣを構成する方法としては塗布のほかコーティングやフィルムの積層等の方法を採用してもよい。これにより、紫外線照射部１０を構成するＬＥＤ発光素子１０Ａから発光する波長３８０ｎｍの紫外線を光触媒用の酸化チタンＣに照射すると、光触媒作用が発揮され、袋体内の各種ごみに対して滅菌、抗菌・消臭等の効果を発揮する。
【００２７】
また、上記反応板７は、一例として方形の段ボール材７Ａを４つに折り畳んで四角形断面の筒状形状に組み立てる構成を採用している。これより、反応板７は、変形可能な構造体となり、コンパクトに運搬及び収納可能である。また、袋体３内への収納時に、容器１の内壁面１Ｂ〜１Ｅに沿って挿入配置し、また、収容物の廃棄時に収容物を残したままで反応板７のみを袋体３内から取り出すことが容易である。尚、反応板７の形状は円筒状等他の断面形状とすることも可能であるし、筒状やＺやＳ字の形状に折り曲げたり、これらの組み合わせ形状とすることも可能である。
【００２８】
上記紫外線照射部１０は、波長３８０ｎｍの紫外線Ｌを発光するＬＥＤ発光素子１０Ａを一例として採用している。このものは、滅菌、抗菌・消臭等の最適な効果があるとともに、人体への影響もないものとして好適である。尚、紫外線Ｌを発光するＬＥＤ発光素子１０Ａはこれに限られるわけではなく、上記波長を中心として適度な範囲の波長（例えば、２８５ｎｍ〜４００ｎｍ程度）のものが適宜使用できる。
【００２９】
上記ＬＥＤ発光素子１０Ａに対しては、タイマーＴがスイッチＳＷを介して乾電池Ｅ叉は１００Ｖ電源（降圧整流器Ｄで直流電源を得る）に接続されている。即ち、蓋１Ａの開閉操作時に、スイッチＳＷをオン操作させると、タイマーＴが乾電池ＥとＬＥＤ発光素子１０Ａとを通電してＬＥＤ発光素子１０Ａを発光させ、所定の通電時間後は、回路をオフさせてＬＥＤ発光素子１０Ａを消灯させる回路構成になっている。通電時間Ｔは例えば、最大１０分前後で良く、しかも、ＬＥＤ発光素子１０Ａの採用で、反応板７による光触媒作用を低消費電力の基に短時間に活発化できる構成としている。
【００３０】
本考案の第１の実施形態となる滅菌、抗菌、消臭ごみ箱１００は、上記のように構成されており、以下のように使用される。先ず、図１に示すように、蓋付き容器１の蓋１Ａを開け、上記容器内に袋体３を挿入して内壁面１Ｂ〜１Ｅ沿いに拡げて配置する。続いて、上記袋体内に酸化チタンＣを塗布した反応板７を挿入し、袋体３の内面に沿わせて容器１の内壁面沿いに拡げて配置する。上記反応板７は酸化チタンＣが形成された板材により袋体から引き抜き可能な形状に構成されているから、反応板７の袋体３内への挿入が容易にできる。
【００３１】
以上で、滅菌、抗菌、消臭ごみ箱１００における袋体と反応板７のセットアップが終了し、目的とする設置場所に置かれる。容器１内への収容物は、設置場所により異なり、各種塵・生ごみ・使用済み衛生紙・衛生用品等３０が随時投入される。ごみの投入後に、タイマーＴで時間設定し、上記蓋の内側に装備した紫外線照射部１０のＬＥＤ発光素子１０Ａを発光させて蓋１Ａを閉じる。これで、発光素子１０Ａから波長３８０ｎｍの紫外線が発光し、上記反応板７の表面に塗布された光触媒用の酸化チタンＣに照射される。これで、反応板７は、光触媒作用が誘発され袋体３内の各種ごみに対して協力な酸化作用が生まれ滅菌、抗菌、消臭等の各作用が発揮される。尚、投入した各種塵・生ごみ・使用済み衛生紙・衛生用品等３０に対して紫外線照射部１０のＬＥＤ発光素子１０Ａから直接紫外線が照射され、これによっても殺菌効果が発揮される。次に袋体３内に投入された各種塵に付着する細菌が滅菌、抗菌・消臭される時間経過に合わせたタイマーＴが発光素子１０Ａの発光を停止する。以下、新たなごみ３０の容器内への投入時毎に、上記紫外線照射部１０のＬＥＤ発光素子１０Ａを発光させて蓋１Ａを閉じる操作が実施される。
尚、ごみで満杯になった袋体３の廃棄時に反応板７を袋体３内から簡単に取り出すことができるので収容物の廃棄処理が容易にできる。
【００３２】
次に、上記反応板７に塗布した酸化チタンＣの表面に紫外線（ＬＥＤ発光素子、波長２８５ｎｍ）を照射したものを対象試験試料として滅菌、抗菌試験を行った結果について説明する。この滅菌、抗菌試験は、ＪＩＳＺ２８０１（フイルム密着法）により実施した。上記フイルム密着法は、供試品表面に菌液を滴下し、ポリエチレンフィルムで被覆し、３５℃で保存し、生菌数を測定して行った。そして、対象試験試料上の生菌数との増減値差を対数により求めた。検体量は、５ｃｍ×５ｃｍ・厚さ１ｃｍ以内の平板状のものを、各菌種につき３枚以上ずつ用意した。試験結果は、滅菌、抗菌活性値ＮＡ＝５．４１を示した。滅菌、抗菌活性値ＮＡが２．０以上であると死滅率９９％以上であり、上記数値は高い滅菌、抗菌力を発揮していることを示している。
【００３３】
上記滅菌、抗菌、消臭等の滅菌、抗菌力評価試験結果から、本考案の滅菌、抗菌、消臭ごみ箱１００は、その紫外線照射部のＬＥＤ発光素子１０Ａと反応板７との組み合わせにより、光触媒作用を誘発して袋体３内の各種ごみに対して滅菌、抗菌・消臭等の作用を発揮することが確認された。それも、袋体内に投入された各種塵に付着する雑菌の死滅処理は、タイマーＴにより発光素子１０Ａの発光時間を短縮して実施される。
【００３４】
以上、本考案の実施の形態によると次のような効果を奏することができる。
まず、蓋付き容器内の袋体に各種塵、使用済み衛生紙・衛生用品を投入時は、袋体内の周囲に配置する反応板の酸化チタンに対して蓋裏面に配置した紫外線照射部から紫外線照射できるから、反応板の酸化チタンの滅菌、抗菌、消臭作用が各種塵、使用済み衛生紙・衛生用品に働き掛け、高い滅菌、抗菌、消臭効果が得られる。
また、紫外線照射部は波長３８０ｎｍの紫外線を発光するＬＥＤ発光素子としたから、低消費電力の基に、反応板の反応を活発化でき、紫外線の発光効率が良く、各種塵・使用済み衛生紙・衛生用品に対してー層強力な滅菌、抗菌、消臭効果が発揮できる。
また、ＬＥＤ発光素子に対する通電時間もタイマーにより、袋体内に新たに投入された各種塵・使用済み衛生紙・衛生用品に対する滅菌、抗菌、消臭作用が終了する必要最少時間内にて通電でき、より一層の省エネルギー効果が発揮できる。また、その電源も乾電池に求められ、ごみ箱を任意場所に自由に配置できる。
また、蓋付き容器や袋体は市販のダストボックスやごみ袋を使用できるから、安価に入手できる。
また、反応板は、酸化チタンが塗布された板材により袋体から引き抜き可能な形状に構成されているから、反応板の袋体内への挿入が容易にでき、ごみで満杯になった袋体の廃棄時に反応板を袋体内から簡単に取り出すことができるので収容物の廃棄処理が容易にできる。
【００３５】
尚、本考案の滅菌、抗菌、消臭ごみ箱１００は、上記実施の形態のものに限定されず、その考案の要旨内での設計変更が可能である。例えば、図５に示す第２の実施の形態の滅菌、抗菌、消臭ごみ箱２００は、容器１内への新たなごみ投入毎に、蓋１Ａの閉じ操作により紫外線照射部１０のＬＥＤ発光素子１０Ａを自動発光させ、タイマーＴでの自動消灯を連動操作するように構成している。即ち、蓋１Ａの内側にスイッチＳＷを配置し、蓋１Ａの開閉操作でスイッチＳＷをオン・オフする構成とする。その他の構成は、上記第１の実施形態の滅菌、抗菌、消臭ごみ箱１００と同一につき、同一符号を付して説明を省略する。
【００３６】
上記第２の実施の形態の滅菌、抗菌、消臭ごみ箱２００によると、上記蓋１Ａの開閉操作に伴う閉じ操作時に、スイッチＳＷがオン・オフされるとタイマーＴが起動され、紫外線照射部１０のＬＥＤ発光素子１０Ａを発光させる。これで、発光素子１０Ａから波長３８０ｎｍの紫外線が発光し、上記反応板７の表面に塗布された光触媒用の酸化チタンＣに照射される。これで、反応板７は、光触媒作用を誘発して袋体３内の各種ごみに対して滅菌、抗菌、消臭等の作用を発揮する。そして、袋体３内に投入された各種塵に付着する雑菌が減少し滅菌、抗菌、消臭等の作用が実行される時間経過に合わせたタイマーＴが発光素子１０Ａの発光を停止する。以下、新たなごみの容器１内への投入時毎に、上記紫外線照射部１０のＬＥＤ発光素子１０Ａを発光させて蓋１Ａを閉じる操作が行われる。
尚、その他の作用は上記第１の実施形態の滅菌、抗菌、消臭ごみ箱１００と同一につき、説明を省略する。
【００３７】
上記滅菌、抗菌、消臭ごみ箱２００による効果は、容器１内への塵投入時の蓋１Ａの開閉操作により、自動的にスイッチＳＷがオン・オフしてタイマーＴを起動し、紫外線照射部１０のＬＥＤ発光素子１０Ａを発光できるから、ごみ投入毎の滅菌、抗菌、消臭等の作用が確実に発揮できる。その他の効果は、滅菌、抗菌、消臭ごみ箱１００と同一につき、説明を省略する。
【００３８】
また、図６〜８に示す第３の実施の形態の滅菌、抗菌、消臭ごみ箱３００は、上記袋体の内側に配置され酸化チタンが形成された滅菌、抗菌、消臭部として、反応板に代えて袋体３の内面に形成された酸化チタンＣにより構成したものである。袋体３の内面に酸化チタンＣを構成する方法としては、袋体３の製造過程で溶液状の酸化チタンＣをスプレーしたり、ごみ袋内に直接溶液状の酸化チタンＣをスプレーする等の方法が考えられる。その他の構成は、上記第１の実施形態の滅菌、抗菌、消臭ごみ箱１００と同一につき、同一符号を付して説明を省略する。尚、図７の場合は、蓋１Ａの開閉操作時に、スイッチＳＷをオン操作させると、タイマーＴが乾電池ＥとＬＥＤ発光素子１０Ａとを通電してＬＥＤ発光素子１０Ａを発光させ、所定の通電時間後は、回路をオフさせてＬＥＤ発光素子１０Ａを消灯させる構成であり、図８の場合は、容器１内への塵投入時の蓋１Ａの開閉操作により、自動的にスイッチＳＷがオン・オフしてタイマーＴを起動し、紫外線照射部１０のＬＥＤ発光素子１０Ａを発光できるようにした構成である。
【００３９】
上記第３の実施の形態の滅菌、抗菌、消臭ごみ箱３００によると、上記蓋１Ａの開閉操作に伴う閉じ操作時に、スイッチＳＷがオン・オフされるとタイマーＴが起動され、紫外線照射部１０のＬＥＤ発光素子１０Ａを発光させる。これで、発光素子１０Ａから波長３８０ｎｍの紫外線が発光し、上記滅菌、抗菌、消臭部としての袋体３の内面に形成された酸化チタンＣに照射される。これで、酸化チタンＣは、光触媒作用を生じさせて袋体３内の各種ごみに対して滅菌、抗菌、消臭等の作用を発揮する。尚、投入した各種塵・生ごみ・使用済み衛生紙・衛生用品等３０に対して紫外線照射部１０のＬＥＤ発光素子１０Ａから直接紫外線が照射され、これによっても殺菌効果が発揮される。そして、袋体３内に投入された各種塵に付着する雑菌が減少し滅菌、抗菌、消臭等の作用が実行される時間経過に合わせたタイマーＴが発光素子１０Ａの発光を停止する。以下、新たなごみの容器１内への投入時毎に、上記紫外線照射部１０のＬＥＤ発光素子１０Ａを発光させて蓋１Ａを閉じる操作が行われる。
【００４０】
また、ごみで満杯になった袋体３の廃棄時に袋体３をそのまま閉塞して廃棄することができるので収容物の廃棄処理が容易にできる。尚、その他の作用は上記第１の実施形態の滅菌、抗菌、消臭ごみ箱１００と同一につき、説明を省略する。
【００４１】
上記滅菌、抗菌、消臭ごみ箱３００による効果は、容器１内への塵投入時のスイッチ操作や蓋１Ａの開閉操作により自動的にスイッチＳＷがオン・オフしてタイマーＴを起動し、紫外線照射部１０のＬＥＤ発光素子１０Ａを発光できるから、ごみ投入毎の滅菌、抗菌、消臭等の作用が発揮できる。その他の効果は、滅菌、抗菌、消臭ごみ箱１００と同一につき、説明を省略する。
【００４２】
また、紫外線照射部１０は、ＬＥＤ発光素子１０Ａに代えて、紫外線ランプ等を使用しても良い。また、紫外線照射部１０の電源は乾電池の他、商用電源を使用することも可能である。また、本発明の滅菌、抗菌、消臭ごみ箱１００、２００、３００を実施するに当たって、蓋付き容器やごみ袋は市販のものを使用できるので、酸化チタンを塗布した反応板や酸化チタンを塗布した袋と、ＬＥＤ発光素子１０Ａ、電源、タイマー等の紫外線照射部１０を構成するユニットのみを提供することによっても本発明を実施することが可能である。
【産業上の利用可能性】
【００４３】
本考案の滅菌、抗菌、消臭ごみ箱１００、２００、３００は、台所や調理場から排出される食品加工ごみ・残飯・トイレ等で使用される生活衛生紙残材等を一時的にストックするごみ箱に好適に使用されるが、これに限定されず、例えば、病院等の衛生管理やペット用のトイレで使用される生活衛生紙残材等を一時的にストックするごみ箱としての用途にも適用可能である。
【符号の説明】
【００４４】
１                  蓋付き容器
１Ａ                蓋
１Ｂ〜１Ｅ          内壁面
３                  袋体
７                  反応板
７Ａ                板材
１０                紫外線照射部
１０Ａ              ＬＥＤ発光素子
３０                ごみ
１００              滅菌、抗菌、消臭ごみ箱
２００              滅菌、抗菌、消臭ごみ箱
３００              滅菌、抗菌、消臭ごみ箱
Ｃ                  滅菌、抗菌、消臭部（酸化チタン）
Ｄ                  降圧整流器
Ｌ                  紫外線
ＳＷ                スイッチ
Ｔ                  タイマー
Ｅ                  乾電池
【図１】
0003166217.tif 000003
【図２】
0003166217.tif 000004
【図３】
0003166217.tif 000005
【図４】
0003166217.tif 000006
【図５】
0003166217.tif 000007
【図６】
0003166217.tif 000008
【図７】
0003166217.tif 000009
【図８】
0003166217.tif 000010